(57)【特許請求の範囲】
【請求項１】
筐体と、
軸体を回転させるモータと前記軸体の外周面の周方向の一部に設けられた錘とを有し、前記筐体を振動させる振動器と、
前記振動器および他の電子部品を収容すると共に、前記筐体の内部に固定可能なホルダー部材とを備え、
前記振動器の前記軸体の回転軸線が、前記ホルダー部材の長手方向に直交し、
前記ホルダー部材は、その長手方向に前記振動器および前記他の電子部品を隣接させて収容することを特徴とする携帯端末装置。
【請求項２】
前記他の電子部品は、カメラユニットであることを特徴とする請求項１に記載の携帯端末装置。
【請求項３】
前記ホルダー部材は、その長手方向が前記筐体の長手方向に直交するように前記筐体の内部に固定されることを特徴とする請求項１または請求項２に記載の携帯端末装置。
【請求項４】
前記筐体が、相互に重ね合わせ可能な第１の筐体及び第２の筐体からなり、
前記第１の筐体及び前記第２の筐体を基準軸線回りに相互に回動可能に連結する連結手段を備え、
前記ホルダー部材が、前記第１の筐体及び前記第２の筐体のいずれか一方において前記連結手段の近傍に設けられていることを特徴とする請求項１から請求項３のうちいずれか一項に記載の携帯端末装置。
【発明の詳細な説明】
【０００１】
【発明の属する技術分野】
この発明は、筐体を振動させる振動器およびカメラを備えた携帯電話機、ＰＤＡ（Ｐｅｒｓｏｎａｌ  Ｄｉｇｉｔａｌ  Ａｓｓｉｓｔａｎｔｓ）等の携帯端末装置に関する。
【０００２】
【従来の技術】
近年、携帯端末装置を構成する筐体の内部には、回路基板、マイクロフォン、スピーカー、表示部、操作部、カメラ等、多数の各種電子部品が搭載されており、これら各種電子部品は、筐体内部に固定されている。従来の携帯端末装置としては、複数の電子部品を同一のホルダー部材に固定し、このホルダー部材を筐体内部に固定して構成されたものがある（例えば、特許文献１参照。）。
また、携帯端末装置に搭載される電子部品としては、上記の他に、通話やメールの着信やアラーム等の情報を携帯端末装置の使用者に報知する際に振動する振動器があるが、この振動器は筐体内部に直接固定されていた。
【０００３】
【特許文献１】
特開平１０−４２３８３号公報
【０００４】
【発明が解決しようとする課題】
しかしながら、上記従来の携帯端末装置においては、振動器が筐体に直接固定されていたため、振動器と他の電子部品とは、筐体に対して別個に搭載することになり、筐体に対する各種電子部品の実装工程数を減らすことができないという問題があった。
また、振動器を筐体の幅方向の中央部に設けて振動器の振動を筐体全体に均一に伝達させることが好ましいが、携帯端末装置の小型化の要請に伴って複数の電子部品の配置に制約が課せられるため、振動器を前記中央部に配することが困難となっている。このため、筐体の振動に偏りが生じて筐体がガタつき易くなるという虞があった。
この発明は、上述した事情に鑑みてなされたものであって、振動器による筐体振動の偏りを防止すると共に、製造効率の向上を図ることができる携帯端末装置を提供することを目的とする。
【０００５】
【課題を解決するための手段】
上記課題を解決するために、この発明は以下の手段を提案している。
本発明に係る携帯端末装置は、筐体と、軸体を回転させるモータと前記軸体の外周面の周方向の一部に設けられた錘とを有し、前記筐体を振動させる振動器と、前記振動器および他の電子部品を収容すると共に、前記筐体の内部に固定可能なホルダー部材とを備え、前記振動器の前記軸体の回転軸線が、前記ホルダー部材の長手方向に直交し、前記ホルダー部材は、その長手方向に前記振動器および前記他の電子部品を隣接させて収容することを特徴とする。
【０００６】
また、本発明に係る携帯端末装置は、前記他の電子部品は、カメラユニットであることを特徴とする。
また、本発明に係る携帯端末装置は、前記ホルダー部材が、その長手方向が前記筐体の長手方向に直交するように前記筐体の内部に固定されることを特徴とする。
【０００７】
また、本発明に係る携帯端末装置は、前記筐体が、相互に重ね合わせ可能な第１の筐体及び第２の筐体からなり、前記第１の筐体及び前記第２の筐体を基準軸線回りに相互に回動可能に連結する連結手段を備え、前記ホルダー部材が、前記第１の筐体及び前記第２の筐体のいずれか一方において前記連結手段の近傍に設けられていることを特徴とする。
【０００８】
【発明の実施の形態】
図１から図６は本発明に係る一実施形態を示しており、ここで説明する実施の形態は、この発明を携帯電話機に適用した場合のものである。図１，２に示すように、この実施の形態に係る携帯電話機（携帯端末装置）１は、第１の筐体２と第２の筐体３とをヒンジ部（連結手段）４により互いに折り畳み自在に連結してなるものであり、ヒンジ部４は、２つの筐体２，３の長手方向の一端部５，６（以下、基端部５，６と記載する。）に配されている。
第１の筐体２の内面７には、通話キー、終話キー、数字キー等の各種の押圧可能な操作キーからなる操作部８が設けられている。また、この内面７のうち、第１の筐体２の基端部５と反対側に位置する先端部９にはマイクロフォン部１０が設けられている。
【０００９】
第２の筐体３の内部には、表示部１１とスピーカー部１３とが設けられている。表示部１１は、各種情報を表示するものであり、第２の筐体３の内面１４側に露出するように配されている。スピーカー部１３は、前述のマイクロフォン部１０と共に通話の際に使用するものであり、基端部６と反対側の先端部１６に位置する第２の筐体３の内面１４側に露出している。
なお、第１、第２の筐体２，３の内面７，１４は、２つの筐体２，３を互いに折り畳んで重ね合わせた状態において、相互に対向する面を示している。
【００１０】
基端部６側に位置する第２の筐体３の内部には、略円筒状のカメラユニット１７が配されており、カメラユニット１７を構成する撮像部としてのカメラモジュール１８および発光部１９を、第２の筐体３の内面１４側、若しくは、内面１４の反対側に位置する第２の筐体３の外面１５側に選択的に露出できるようになっている。
すなわち、このカメラユニット１７は、図３〜５に示すように、第２の筐体３の幅方向に延在するように略円筒状に形成されており、前述のカメラモジュール１８および発光部１９の他に、軸２１を有して軸２１の両端を第２の筐体３内において回動可能に支持された回転体２２と、カメラモジュール１８および発光部１９に電気的に接続されたフレキシブル基板２３とを備えている。
【００１１】
カメラモジュール１８は、被写体を撮影するものであり、例えばＣＣＤあるいはＣＭＯＳ等により構成されている。また、発光部１９は、例えば白色ＬＥＤからなり、カメラモジュール１８により被写体を撮影する直前に発光するようになっている。これらカメラモジュール１８および発光部１９は、軸２１の長手方向に沿って配列されている。
フレキシブル基板２３は、第２の筐体３の内部に搭載された回路基板２４と電気的に接続されており、カメラモジュール１８において撮影した画像や映像を表示部１１に表示させることができるようになっている。
したがって、図１に示すように、カメラモジュール１８および発光部１９が第２の筐体３の内面１４側に露出した状態で撮影すると、表示部１１を視認しながら表示部１１側の被写体を撮影することができる。また、この状態から回転体２２を１８０°回動させて、図２に示すように、第２の筐体３の外面１５側に露出した状態で撮影すると、表示部１１を視認しながら表示部１１とは反対側にある被写体を撮影することができる。
【００１２】
また、図３に示すように、基端部６側に位置する第２の筐体３の内部には、２つの筐体２，３を震動させる振動器３１が、カメラユニット１７に隣接して設けられている。この振動器３１は、図６に示すように、軸体３２を回転させるモータ３３と、軸体３２の外周面の周方向の一部に取り付けられた錘３４と、モータ３３を包み込む弾性部材３５とを備えている。
錘３４は、平面視略扇状に形成され、この扇の半径方向内方側が軸体３２の外周面３２ａに固定されている。したがって、軸体３２をモータ３３の駆動力により回転させた際には、この錘３４によって発生する遠心力に基づいて振動器３１が軸体３２の回転軸線Ａ１に直交する方向に振動することになる。
この振動器３１は、図３に示すように、第２の筐体３の内部に固定した状態において、回路基板２４を介して携帯電話機のバッテリー（不図示）と電気的に接続されるようになっている。
【００１３】
以上のように構成されたカメラユニット１７および振動器３１は、図５に示すように、第２の筐体３の内部に固定可能なホルダー部材４１に収容され、カメラユニット１７の軸２１の長手方向に配列されている。すなわち、このホルダー部材４１には、カメラ収容部４２および振動器収容部４３が設けられており、それぞれカメラユニット１７および振動器３１を囲繞するように形成されている。
カメラユニット１７は、その回転体２２がホルダー部材４１に対して回動可能となるようにカメラ収容部４２に収容されている。
また、振動器３１は、振動器収容部４３に収容された状態において振動器収容部４３との間に弾性部材３５が弾性変形して挟み込まれるため、ホルダー部材４１と一体的に固定されることになる。この収容状態においては、振動器３１の軸体３２の回転軸線Ａ１が、カメラユニット１７および振動器３１の配列方向に略直交すると共に、カメラユニット１７の回動軸となる軸２１の長手方向に略直交している。
【００１４】
また、ホルダー部材４１には、カメラユニット１７の軸２１の軸線および振動器３１の回転軸線Ａ１に直交する方向に貫通する３つの貫通孔４４，４６，４７が形成されており、１つの貫通孔４４を形成する周縁部の周方向の一部には、スリット４５が形成されている。
この貫通孔４４は、図３に示すように、第２の筐体３を構成するケース部材５１の内側にホルダー部材４１を載置する際に、ケース部材５１に形成されたテーパ状の突出部５２を挿入するようになっている。このため、この貫通孔４４は突出部５２を挿入する際に拡径して、突出部５２が貫通孔４４に軽嵌合することになる。なお、ケース部材５１は、第２の筐体３の内面１４側を構成する部材であり、第２の筐体３の外面１５側を形成するケース部材（不図示）と厚さ方向に結合して第２の筐体３を構成するものである。
したがって、ホルダー部材４１をケース部材５１の内側に載置してから、第２の筐体３を構成する２つのケース部材によりホルダー部材４１を挟み込んで固定するまでの間に、スピーカー等の他の電子部品を搭載しても、ケース部材５１に対してホルダー部材４１の位置がずれることを防止できる。
【００１５】
また、残り２つの貫通孔４６，４７は、ホルダー部材４１の長手方向の両端に形成され、振動器３１の回転軸線Ａ１に略直交するように配列されている。そして、２つのケース部材を厚さ方向に結合してネジ止めする際には、これら２つの貫通孔４６，４７にネジが挿通されるため、ホルダー部材４１が２つのケース部材に共締めされ、第２の筐体３に完全に固定されることになる。
以上のように構成されたホルダー部材４１は、カメラユニット１７および振動器３１の配列方向が第２の筐体３の長手方向に直交するように、基端部６側に位置する第２の筐体３の内部に配置される。
なお、カメラユニット１７および振動器３１をホルダー部材４１に搭載した状態においては、ホルダー部材４１の重心位置が、カメラユニット１７および振動器３１の配列方向となるホルダー部材４１の長手方向の略中間に位置する。また、このホルダー部材４１を基端部６側に位置する第２の筐体３の内部に搭載した状態では、前記重心位置が、第２の筐体３の幅方向の中央部に略一致する。
【００１６】
以上のように構成された携帯電話機１の使用方法について説明する。
カメラユニット１７を用いて撮影を行う場合には、カメラモジュール１８や発光部１９を第２の筐体３の内面１４側や外面１５側に向ける。この状態においては、表示部１１にカメラモジュール１８による撮影範囲が表示され、使用者は、表示部１１を視認しながら所定の操作キーを操作して撮影を行うことができる。
【００１７】
そして、例えば、上記の撮影状態において、通話やメールの着信、アラーム等の各種情報の報知があった場合には、振動器３１の軸体３２が回転し、振動器３１が軸体３２の回転軸線Ａ１と直交する方向に振動する。この際には、振動器３１の振動が主としてホルダー部材４１の長手方向に伝達されることになり、ホルダー部材４１全体が振動することになる。その後、ホルダー部材４１の振動は、第２の筐体３の基端部６全体に伝達され、この基端部６から第２の筐体３の先端部１６に伝達されると共に、ヒンジ部４を介して第１の筐体２の基端部５から先端部９まで伝達されることになる。
なお、振動器３１による報知の際には、表示部１１に報知内容が表示されることになるため、カメラユニット１７による撮影が中断されることになる。したがって、カメラユニット１７がホルダー部材４１と共に振動しても、撮影画像がぶれるという問題は発生しない。
【００１８】
上記のように、この携帯電話機１によれば、振動器３１の振動方向が、ホルダー部材４１におけるカメラユニット１７および振動器３１の配列方向、すなわち、ホルダー部材４１の長手方向に等しいため、容易にホルダー部材４１全体を振動させることができる。そして、振動器３１よりも大きい容積を有するホルダー部材４１を介して第２の筐体３を振動させるため、容易に第２の筐体３全体を均等に振動させることができる。したがって、振動器３１を搭載した第２の筐体３のがたつきを抑制することができる。
また、カメラユニット１７および振動器３１は、ホルダー部材４１に一体的に固定されているため、カメラユニット１７と振動器３１とを同時に第２の筐体３内部に組み込むことができ、各種電子部品の第２の筐体３内部への組み込み工程数を減らして携帯電話機１の製造効率を向上させることができる。
【００１９】
さらに、振動器３１がホルダー部材４１の振動器収容部４３に収容された状態においては、振動器３１とホルダー部材４１とが弾性部材３５の弾性変形により一体的に固定されるため、振動器３１の振動を確実にホルダー部材４１や第２の筐体３に伝達することができる。
また、弾性部材３５を弾性変形させることにより振動器３１と振動器収容部４３との隙間を埋めることもできるため、振動器収容部４３の寸法を高精度に設定する必要がなく、ホルダー部材４１を容易に製造することができる。
さらに、振動器３１を搭載したホルダー部材４１を第２の筐体３の基端部６側に配することにより、振動器３１が振動した際には、ホルダー部材４１を介して第２の筐体３が振動すると同時に、ヒンジ部４を介して第１の筐体２が振動するため、２つの筐体２，３を均等に振動させることができる。
【００２０】
また、ホルダー部材４１に形成されたスリット４５を有する貫通孔４４と、ケース部材５１に形成されたテーパ状の突出部５２とにより、ケース部材５１に対するホルダー部材４１の位置を正しく保持できるため、携帯電話機１の製造効率の向上を図ることができる。
さらに、カメラユニット１７および振動器３１を搭載したホルダー部材４１の重心位置が、ホルダー部材４１の長手方向の略中間に位置するため、振動器３１の振動をホルダー部材４１の長手方向に均等に伝達することができる。
また、このホルダー部材４１の重心位置が、第２の筐体３の幅方向の中央部に略一致するため、振動器３１の振動を確実に第２の筐体３全体に均一に伝達させることができる。
さらに、ホルダー部材４１の２つの貫通孔４６，４７は、振動器３１の回転軸線Ａ１に略直交するように配列されると共に、この貫通孔４６，４７においてホルダー部材４１と第２の筐体３とが相互に固定されているため、振動器３１から第２の筐体３への振動伝達をよりバランスよく行うことができる。
【００２１】
なお、上記の実施形態においては、ヒンジ部４により２つの筐体２，３を互いに折り畳み自在に連結した携帯電話機１について説明したが、これに限ることはなく、例えば、２つの筐体が、互いの厚さ方向に中心軸線を有する回転軸により、重ね合わせ自在に連結された携帯電話機であってもよい。
また、２つの筐体２，３からなる携帯電話機１に限ることはなく、少なくとも１つの筐体からなる携帯電話機であればよい。さらに、携帯電話機に限ることはなく、ＰＤＡやノートパソコン等の携帯端末装置であっても構わない。
以上、本発明の実施形態について図面を参照して詳述したが、具体的な構成はこの実施形態に限られるものではなく、本発明の要旨を逸脱しない範囲の設計変更等も含まれる。
【００２２】
【発明の効果】
以上説明したように、本発明によれば、振動器よりも大きい容積を有するホルダー部材を介して筐体を振動させるため、容易に筐体全体を均等に振動させることができ、振動器を搭載した筐体のがたつきを抑制できる。
また、カメラユニットおよび振動器は、ホルダー部材に一体的に固定されているため、カメラユニットと振動器とを同時に筐体に組み込むことができる。したがって、各種電子部品の筐体への組み込み工程数を減らして携帯端末装置の製造効率を向上させることができる。
【図面の簡単な説明】
【図１】  本発明の一実施形態に係る携帯電話機において、第１、第２の筐体を相互に開いた状態を内面側から見た斜視図である。
【図２】  図１の携帯電話機において、第１、第２の筐体を相互に開いた状態を外面側から見た斜視図である。
【図３】  図１の携帯電話機において、第２の筐体に対するカメラユニット、振動器およびホルダー部材の配置を示す斜視図である。
【図４】  図１の携帯電話機において、ホルダー部材に搭載されたカメラユニットおよび振動器を示す斜視図である。
【図５】  図１の携帯電話機において、ホルダー部材に搭載されたカメラユニットおよび振動器を示す断面図である。
【図６】  図１の携帯電話機において、振動器を示す斜視図である。
【符号の説明】
１  携帯電話機（携帯端末装置）
２  第１の筐体
３  第２の筐体
４  ヒンジ部（連結手段）
１７  カメラユニット
３１  振動器
３２  軸体
３２ａ  外周面
３３  モータ
３４  錘
３５  弾性部材
４１  ホルダー部材
４３  振動器収容部
Ａ１  回転軸線
【図１】
0004628657.tif 000002
【図２】
0004628657.tif 000003
【図３】
0004628657.tif 000004
【図４】
0004628657.tif 000005
【図５】
0004628657.tif 000006
【図６】
0004628657.tif 000007